(57)【特許請求の範囲】
【請求項１】
前面パネル２に装着された扉３が、その下部に一体化して横設された回転軸８，９を介して前方へ前倒して開扉されるオーディオ・映像機器の扉開閉装置において、
前記横設された回転軸８，９の左右に設けられた扉開閉用の係止・解除機構１と、前記扉３の左右端部外側近傍の左右いずれかの前面パネル２部に設けられ前記係止・解除機構１の係止状態を後記係止爪１０，１０’を押動してカム８ａ，９ａから外すことで解除するロッド状解除ボタン１２とからなり、前記扉開閉用係止・解除機構１は、扉３が常に前方へ開くように作用するばねＣと、前記回転軸の左右に設けられたカム８ａ，９ａと、係止爪１０，１０’と、係止爪１０，１０’をカム８ａ，９ａに常時係止するための係止用ばねＡ，Ｂとを有し、かつ、前記左右の扉開閉用の係止・解除機構１において、前記ロッド状解除ボタン１２側の前記係止爪１０を付勢するばねＡの付勢力は他端側のばねＢの付勢力より強く構成されてなることを特徴とするオーディオ・映像機器の扉開閉装置。
【請求項２】
前記オーディオ・映像機器の扉開閉装置において、
前記扉３が常に開く方向にばねＣで付勢され、かつ内側下部に突設された連結板２０に固設される後記回転軸８，９を嵌入するための嵌入孔７，７’を左右に有する扉３と、前記前面パネル２の内側下部の左右２カ所に穿設された第１の軸受け孔５，５’を貫装して前記嵌入孔７，７’に嵌入してから固定され、かつ左右にカム８ａ，９ａを有する２つの回転軸８，９と、前記前面パネル２の内側下部の左右２カ所に穿設された第２の軸受け孔６，６’に軸支され揺動可能で、かつ前記２つのカム８ａ，９ａと、ばねＡ，Ｂで付勢された左右２つの係止爪１０，１０’とがそれぞれ係合して前記扉３を係止できる前記係止爪１０，１０’を有する扉固定金具１１と、前記前面パネル２面側から押圧でき、ばねで前方へ突出するごとく付勢され、かつ係止爪の上部面が押圧されることによって前記２つのカム８ａ，９ａと、左右２つの係止爪１０，１０’との係合状態を解除する１個の解除ボタン１２とを備えて構成してなることを特徴とする請求項１に記載のオーディオ・映像機器の扉開閉装置。
【請求項３】
前記扉固定金具１１が、前記１個の解除ボタン１２を押圧することによって揺動し前記２つの係止爪１０，１０’と前記２つのカム８ａ，９ａとの係止解除が同時にできるようにしてなることを特徴とする請求項１又は２に記載のオーディオ・映像機器の扉開閉装置。
【請求項４】
前記２つのカム８ａ，９ａと前記２つの係止爪１０，１０’が、その係合する双方の先端部面が円弧２１，２２状に形成されてなることを特徴とする請求項１〜３のいずれか１項に記載のオーディオ・映像機器の扉開閉装置。
【請求項５】
前記カム８ａ，９ａを有する２つの回転軸８，９が、前記扉３の内側下部に穿設された嵌入孔７，７’に嵌入された後にそれぞれ止めねじ１４，１４’で固定されてなることを特徴とする請求項１〜４のいずれか１項に記載のオーディオ・映像機器の扉開閉装置。
【請求項６】
前記係止爪１０，１０’が、前記カム８ａ，９ａと係合して扉３を係止した状態のとき前記前面パネル２背面部側に圧接する圧接面１７を備えてなることを特徴とする請求項１〜５のいずれか１項に記載のオーディオ・映像機器の扉開閉装置。
【請求項７】
前記係止爪１０，１０’の前記カム８ａ，９ａと係合する接触面１８が電解研磨処理されていることを特徴とする請求項１〜６のいずれか１項に記載のオーディオ・映像機器の扉開閉装置。
【発明の詳細な説明】
【０００１】
【発明の属する技術分野】
本発明は、機器本体の前面パネル等に装着された扉の開閉用係止・解除機構に関する。
【０００２】
【従来の技術】
機器の前面パネル等に装着された扉開閉用の係止・解除機構は、扉のロック状態を確実に、かつ強固にするため、例えば、開閉する扉側の両側に設けられた２個のフック部を有する係止爪体と、機器本体側に取り付けられ、ロック解除用押しボタンを押圧すると回転するカムによって揺動するフック部を有する２個の係止爪体とが、前記扉を手で閉じると前記扉側フック部と、機器本体側のフック部が係合し扉はロック状態となる。ロック解除用押しボタンを押圧すると前記ロック状態は解除される。
しかし、このような係止・解除機構は、ロック解除用押しボタンを押さずに、扉を手で無理に開けようとした場合、前記ロック部の係合が強固なため扉又はロック機構を破損してしまう恐れがあった。
【０００３】
一方、図７に示すとおり、扉３内部に調整器及び操作ボタン等が取り付けられた操作板１６が配設されているので係止・解除機構を装着するスペースが制限されるため、扉３の中央部近辺に装着することができず、横長の扉に対しても片側だけに装着されることが多い。
横長の扉３に対して片側だけに係止・解除機構を装着した場合、扉の自重やしなり、又は組立部品自体の寸法誤差や、作業者の組立誤差等によって、パネル２と扉３との間隙１５が揃わないことがある。
また、両側に係止・解除機構を装着した場合、そのどちらか一方にロック解除のための解除ボタン１２を取り付けると、解除ボタン１２を押圧しても２カ所のロック機構を解除するタイミングがずれてしまいスムーズにロックが外れないことがある。
このため、両側に解除ボタン１２を取り付けようとすると機構が複雑になり、大型化、コスト高になりやすい。
【０００４】
【発明が解決しようとする課題】
以上説明した現状に鑑み、ロック解除用押しボタンを押さずに、扉を手で無理に開けようとした場合でも、扉又は係止・解除機構を破損することなく扉を開くことが可能であり、また、横長の扉であっても、機器及び扉の両側に係止・解除機構が装着されている場合、片側のみに解除ボタンを配設してもパネルと扉との間隙が均一で、かつスムーズにロック解除できる低コストで簡易な扉の係止・解除機構を提供する。
【０００５】
【課題を解決するための手段】
本発明者は，上記に鑑み鋭意研究の結果，次の手段によりこの課題を解決した。
（１）前面パネル２に装着された扉３が、その下部に一体化して横設された回転軸８，９を介して前方へ前倒して開扉されるオーディオ・映像機器の扉開閉装置において、
前記横設された回転軸８，９の左右に設けられた扉開閉用の係止・解除機構１と、前記扉３の左右端部外側近傍の左右いずれかの前面パネル２部に設けられ前記係止・解除機構１の係止状態を後記係止爪１０，１０’を押動してカム８ａ，９ａから外すことで解除するロッド状解除ボタン１２とからなり、前記扉開閉用係止・解除機構１は、扉３が常に前方へ開くように作用するばねＣと、前記回転軸の左右に設けられたカム８ａ，９ａと、係止爪１０，１０’と、係止爪１０，１０’をカム８ａ，９ａに常時係止するための係止用ばねＡ，Ｂとを有し、かつ、前記左右の扉開閉用の係止・解除機構１において、前記ロッド状解除ボタン１２側の前記係止爪１０を付勢するばねＡの付勢力は他端側のばねＢの付勢力より強く構成されてなることを特徴とするオーディオ・映像機器の扉開閉装置。
【０００６】
（２）前記オーディオ・映像機器の扉開閉装置において、
前記扉３が常に開く方向にばねＣで付勢され、かつ内側下部に突設された連結板２０に固設される後記回転軸８，９を嵌入するための嵌入孔７，７’を左右に有する扉３と、前記前面パネル２の内側下部の左右２カ所に穿設された第１の軸受け孔５，５’を貫装して前記嵌入孔７，７’に嵌入してから固定され、かつ左右にカム８ａ，９ａを有する２つの回転軸８，９と、前記前面パネル２の内側下部の左右２カ所に穿設された第２の軸受け孔６，６’に軸支され揺動可能で、かつ前記２つのカム８ａ，９ａと、ばねＡ，Ｂで付勢された左右２つの係止爪１０，１０’とがそれぞれ係合して前記扉３を係止できる前記係止爪１０，１０’を有する扉固定金具（１１）と、前記前面パネル（２）面側から押圧でき、ばねで前方へ突出するごとく付勢され、かつ係止爪の上部面が押圧されることによって前記２つのカム８ａ，９ａと、左右２つの係止爪１０，１０’との係合状態を解除する１個の解除ボタン１２とを備えて構成してなることを特徴とする前項（１）に記載のオーディオ・映像機器の扉開閉装置。
【０００７】
（３）前記扉固定金具１１が、前記１個の解除ボタン１２を押圧することによって揺動し前記２つの係止爪１０，１０’と前記２つのカム８ａ，９ａとの係止解除が同時にできるようにしてなることを特徴とする前項（１）又は（２）に記載のオーディオ・映像機器の扉開閉装置。
【０００８】
（４）前記２つのカム８ａ，９ａと前記２つの係止爪１０，１０’が、その係合する双方の先端部面が円弧２１，２２状に形成されてなることを特徴とする前項（１）〜（３）のいずれか１項に記載のオーディオ・映像機器の扉開閉装置。
【０００９】
（５）前記カム８ａ，９ａを有する２つの回転軸８，９が、前記扉３の内側下部に穿設された嵌入孔７，７’に嵌入された後にそれぞれ止めねじ１４で固定されてなることを特徴とする前項（１）〜（４）のいずれか１項に記載のオーディオ・映像機器の扉開閉装置。
【００１０】
（６）前記係止爪１０，１０’が、前記カム８ａ，９ａと係合して扉３を係止した状態のとき前記前面パネル２背面部側に圧接する圧接面１７を備えてなることを特徴とする前項（１）〜（５）のいずれか１項に記載のオーディオ・映像機器の扉開閉装置。
（７）前記係止爪１０，１０’の前記カム８ａ，９ａと係合する接触面１８が電解研磨処理されていることを特徴とする前項（１）〜（６）項のいずれか１項に記載のオーディオ・映像機器の扉開閉装置。
【００１１】
【発明の実施の形態】
本願発明の実施の形態を、実施例図に基づいて説明する。
図１は、本願発明実施例の係止・解除機構を装着した扉開閉装置の斜視図であり、図２は、同実施例の係止・解除機構を装着した扉開閉装置の部品を展開した斜視図であり、図３は、同実施例の係止・解除機構の説明図であり、図４は、同実施例のカムと係止爪との係合部の部分拡大図であり、図５は、同実施例のカムと係止爪の拡大図であり、図６は、同実施例のばねＡ、ばねＢの付勢力説明図であり、図７は、機器のパネル面に装着された扉の外観斜視図である。
図において、１は係止・解除機構、２は前面パネル、３は扉、４，４’は扉取り付けフレーム、５，５’は第１の軸受け孔、６，６’は第２の軸受け孔、７，７’は嵌入孔、８，９は回転軸、８ａ，９ａはカム、８ｂはノブ、９ｂは歯車、１０，１０’は係止爪、１１は扉固定金具、１２は解除ボタン、１３はダンパー、１４は止めねじ、１５は間隙、１６は操作板、１７は圧接面、１８は接触面、１９はドライバ、２０は連結板、２１はカムの円弧，２２は係止爪の円弧、Ａ，Ｂ，Ｃはばね、▲１▼〜▲６▼はカム位置、▲１▼’〜▲６▼’は係止爪位置、Ｘ，Ｙは開き角度、である。
【００１２】
図１及び図２において、係止・解除機構１は、例えば、オーディオ機器本体の前面パネル２の両側に配設された扉取り付けフレーム４，４’を介して装着された開閉可能な扉３が常に開く方向にばねＣで付勢され、かつ内側下部に突設された連結板２０に固設される後記回転軸８，９を嵌入するための左右に嵌入孔７，７’を有する扉３と、前記前面パネル２の内側下部の左右２カ所に穿設された第１の軸受け孔５，５’を貫装して前記嵌入孔７，７’に嵌入してから固定され、かつ左右にカム８ａ，９ａを有する２つの回転軸８，９と、前記前面パネル２の内側下部の左右２カ所に穿設された第２の軸受け孔６，６’に軸支され揺動可能で、かつ前記２つのカム８ａ，９ａと、ばねＡ，Ｂで付勢された左右２つの係止爪１０，１０’とがそれぞれ係合して前記扉３を係止できる前記係止爪１０，１０’を有する扉固定金具１１と、前記前面パネル２面側から押圧できる図示しないばねで前方へ突出するごとく付勢され、かつ係止爪の上部面が押圧されることによって前記２つのカム８ａ，９ａと、左右２つの係止爪１０，１０’との係合状態を解除する１個の解除ボタン１２とを備えて構成されている。
【００１３】
図３において、解除ボタン１２を押圧すると、解除ボタン１２のロッド先端で扉固定金具１１が押圧される。扉固定金具１１は扉取り付けフレーム４に固設された第２の軸受け孔６を回転中心として回転することによって係止爪１０が上方に移動（図３（ｂ）参照）し、カム８ａとの係止状態（図３（ａ）参照）から解除され、扉３は常に開く方向に付勢された図１に示すばねＣの付勢力と扉３の自重によって開き（図３（ｃ）参照）、扉３が約９０度開いたところでカム８ａの凸部が扉取り付けフレーム４の底部面に当接することによって停止する（図３（ｄ）参照）。
扉３を閉じる場合は、扉を手で押すことによって上記説明の逆順の図３（ｄ）〜（ａ）のとおり行われるが、扉３が前面パネル２に当接している図３（ａ）に示すように、係止爪１０によってカム８ａが係止され、よって扉３は閉じた状態となる。
【００１４】
図３及び図４において、円弧２１を有するカム８ａと、円弧２２を有する係止爪１０の係合部の係止状態の図３（ａ）に相当する図４の係合部のカム位置▲１▼及び係止爪位置▲１▼’から、図３（ｂ）と図３（ｃ）のほぼ中間位置に相当する図４の係合部のカム位置▲６▼及び係止爪位置▲６▼’まで移動した時のそれぞれカム８ａ及び係止爪１０の状態を示している。
【００１５】
ここで、扉３が閉じているカム位置▲１▼及び係止爪位置▲１▼’の状態で、解除ボタン１２を使用せずに扉３を手で無理矢理開こうとした場合、カム８ａは反時計方向へ回転するが、回転することによってカム８ａの円弧２１面で係止爪１０との接触面１８を押圧するように作動し、カム８ａがカム位置▲１▼→▲２▼→▲３▼と推移すると、同様に係止爪１０は係止爪位置▲１▼’→▲２▼’→▲３▼’の状態まで推移して、カム８ａの円弧２１面は係止爪１０の円弧２２面を上方へ押し上げるような状態であり、即ち扉３は開き始めていることを示している。
さらに、カム８ａが回転してカム位置▲４▼→▲５▼→▲６▼と推移すると、係止爪１０は係止爪位置▲４▼’→▲５▼’→▲６▼’の状態まで推移して、係止爪１０の円弧２２面はカム８ａの円弧２１面上に乗り上げている状態であり、即ち扉３はさらに開く方向となっている。
以上の説明で明らかなように、扉３を手で無理矢理開こうとした場合でも扉３及び係止・機構等を破損することなく扉３は開くことが可能であり、しかも扉３が閉じている状態（カム位置▲１▼及び係止爪位置▲１▼’の状態）では、カム８ａの円弧２１面を係止爪１０の接触面１８で押圧している状態、即ちロック状態にある。
【００１６】
さらに図１及び図２において、解除ボタン１２を押圧することによって解除ボタン１２のロッド先端で扉固定金具１１が押圧されると、扉固定金具１１は扉取り付けフレーム４，４’に固設された第２の軸受け孔６，６’を回転中心として回転し、上記図３の説明と同様に、扉固定金具１１の両側に固設された係止爪１０が、カム８ａ，９ａとの係止状態から解除され、扉３は常に開く方向に付勢されたばねＣの付勢力と扉３の自重によって開き、扉３が約９０度開いたところでカム８ａ，９ａの凸部が扉取り付けフレーム４，４’の底部面に当接することによって停止する。
ここで、回転軸９の同軸上に前記カム９ａと歯車９ｂが固設されていて、この歯車９ｂが機器本体側に固設されたオイルの粘度を利用したロータリー形式のダンパー１３の歯車と噛合し、扉３の開閉時の動きをゆっくりとさせることができる。
【００１７】
図１及び図６において、上記カム８ａ，９ａと、２つの係止爪１０，１０’の係止状態を同時に解除するため、解除ボタン１２側のばねＡにばね応力の強いばねを配設し、解除ボタン１２より離れた位置のばねＢにはばね応力の弱いばねを配設する。この結果、扉固定金具１１自体のしなりや、解除ボタン１２を押圧することによる扉固定金具１１のそりが発生しても、カム８ａ，９ａと、２つの係止爪１０，１０’の係止状態を同時に解除するタイミングが常時維持される。
この２つのばねは、ばねＡとして加重位置と自由位置の開き角度がＸ＝約４５度（応力＝約２１５ｋｇｆ／ｍｍ2）、ばねＢの開き角度がＹ＝約２５度（応力＝約１１５ｋｇｆ／ｍｍ2）程度が好ましい。
【００１８】
また、図１及び図２において、前記カムを有する２つの回転軸８，９を、前記扉取り付けフレーム４，４’にそれぞれ固設された第１の軸受け孔５，５’を貫装して前記扉３の内側下部に固設された嵌入孔７，７’に嵌入し、まずカム８ａと係止爪１０とが係止した状態で、また、扉３も閉じた位置とし、扉３と前面パネル２との間隙１５（図７参照、主として解除ボタン１２側の間隙）が所定の値になるように回転軸８に固設されたノブ８ｂをドライバ１９等で微調した後に２本の止めねじ１４で固定する。その後、他方のカム９ａ及び係止爪１０も同様の手順で扉３と前面パネル２との間隙１５（図７参照、主として解除ボタン１２の反対側の間隙）が所定の値になるように回転軸９に固設された歯車９ｂをドライバ等で微調した後に２本の止めねじ１４’で固定する。
このように上記の操作を行うことにより構成部品の寸法誤差があっても機器本体と扉の位置関係を微細に調整できるとともに、カム８ａ，９ａと、２つの係止爪１０，１０’の係止状態を同時に解除するタイミングが常時維持される。
【００１９】
さらに、上記のように２つの係止爪１０，１０’が、それぞれカム８ａ，９ａと係合して扉３を係止した状態のときに、扉取り付けフレーム４の背面部面に係止爪１０が圧接面１７を備えているので、機器本体と扉の位置関係を常に正しく維持できる。
【００２０】
さらにまた、図５において、例えば、ステンレス鋼材等を使用した前記係止爪１０のカム８ａと係合する接触面１８が電解研磨処理されているので、係止爪１０のカム８ａとの接触面の摩耗に対する耐久性が向上し、さらにカム８ａとのすべりをなめらかにできる。
【００２１】
【発明の効果】
本発明によれば、次のような効果が発揮される。
１．本願発明の請求項１の発明によれば、
解除ボタン側の前記係止爪を付勢するばねの付勢力は他端側のばねの付勢力より強く、他端側のばねの付勢力は弱いので、例え前記係止爪を有する扉固定金具が若干しなっていても２つの係止爪が同時に２つのカムとの係止状態を容易に解除できるので、扉の開閉を的確に、かつスムーズに行うことができる。
【００２２】
２．本願発明の請求項２の発明によれば、
横長の扉であっても、機器及び扉の両側に係止・解除機構が装着されている場合、片側のみに解除ボタンを配設してもパネルと扉との間隙が均一で、かつスムーズにロック解除できる低コストで簡易な扉の係止・解除機構を提供できる。
【００２３】
３．本願発明の請求項３の発明によれば、
扉の解除ボタンが片側１個のみでも、これを押圧することにより２つの係止爪が同時に２つのカムとの係止状態を解除できるので、扉の開閉をより的確に、かつよりスムーズに行うことができる。
【００２４】
４．本願発明の請求項４の発明によれば、
前記左右２つのカムと前記左右２つの係止爪が、その係合する双方の先端部面が円弧状に形成されてなることを特徴とする扉の係止・解除機構なので、解除ボタンを使用せずに扉を手で無理にこじ開けようとすると、前記係合するカムの円弧面で係止爪との接触面を扉が開く方向へ押圧し、さらに扉を開こうとするとカムの円弧が係止爪を押圧する結果、カムの円弧面の上方に係止爪の円弧面が移動するため、自然にロックが解除され、ロック機構が破損されること無く扉を開くことができる。かつ扉の解除ボタンが片側１個のみでも、これを押圧することにより扉の開閉が的確に、またスムーズに行うことができる。
【００２５】
５．本願発明の請求項５の発明によれば、
前記カムを有する２つの回転軸が、前記扉の内側下部に固設された嵌入孔に嵌入された後にそれぞれ止めねじで固定されているので、構成部品の寸法誤差があっても機器本体と扉の位置関係を微細に調整できる。
【００２６】
６．本願発明の請求項６の発明によれば、
前記係止爪が、前記カムと係合して扉を係止した状態のときに前記前面パネル背面部面に圧接する面を備えているので、機器本体と扉の位置関係を常に正しく維持できる。
【００２７】
７．本願発明の請求項７の発明によれば、
前記係止爪の前記カムと係合する接触面が電解研磨処理されているので、係止爪のカムとの前記接触面の摩耗に対する耐久性が向上し、さらにカムとのすべりをなめらかにできる。
【図面の簡単な説明】
【図１】本願発明実施例の係止・解除機構を装着した扉開閉装置の斜視図
【図２】同実施例の係止・解除機構を装着した扉開閉装置の部品を展開した斜視図
【図３】同実施例の係止・解除機構の説明図
【図４】同実施例のカムと係止爪との係合部の部分拡大図
【図５】同実施例のカムと係止爪の拡大図
【図６】同実施例のばねＡ、ばねＢの付勢力説明図
【図７】機器のパネル面に装着された扉の外観斜視図
【符号の説明】
１：係止・解除機構                  ２：前面パネル
３：扉                              ４，４’：扉取り付けフレーム
５，５’：第１の軸受け孔             ６，６’：第２の軸受け孔
７，７’：嵌入孔                     ８，９：回転軸
８ａ，９ａ：カム                    ８ｂ：ノブ
９ｂ：歯車                          １０，１０’：係止爪
１１：扉固定金具                    １２：解除ボタン
１３：ダンパー                      １４，１４’：止めねじ
１５：間隙                          １６：操作板
１７：圧接面                        １８：接触面
１９：ドライバ                      ２０：連結板
２１：カムの円弧                    ２２：係止爪の円弧
Ａ，Ｂ，Ｃ：ばね                    ▲１▼〜▲６▼：カム位置
▲１▼’〜▲６▼’：係止爪位置               Ｘ，Ｙ：開き角度
【図１】
0003733927.tif 000002
【図２】
0003733927.tif 000003
【図３】
0003733927.tif 000004
【図４】
0003733927.tif 000005
【図５】
0003733927.tif 000006
【図６】
0003733927.tif 000007
【図７】
0003733927.tif 000008